(57)【要約】【課題】スタックの組み立て時の歩留まりを向上させ、セルの交換やメンテナンスを、他のセルの発電特性やシール性能に影響を及ぼすことなく行う。【解決手段】固体酸化物からなる電解質を空気極と燃料極とで狭持してなる平板型のセル２を複数枚積層した平板型固体酸化物形燃料電池スタックにおいて、各セル２間に積層されるセパレータを、セル２の燃料極側の面に積層され、燃料極に燃料ガスを供給して発電後の燃料ガスを排出するアノードセパレータ３１と、セル２の空気極側の面に積層され、空気極に酸化剤ガスを供給して発電後の酸化剤ガスを排出するカソードセパレータ３２とに分離できるようにする。【選択図】  図３
2008041303.tif 000002
【特許請求の範囲】
【請求項１】
固体酸化物からなる電解質を空気極と燃料極とで狭持してなる平板型のセルを複数枚積層した平板型固体酸化物形燃料電池スタックにおいて、各セル間に積層されるセパレータであって、
前記セルの燃料極側の面に積層され、前記燃料極に燃料ガスを供給して発電後の燃料ガスを排出するアノードセパレータと、
前記セルの空気極側の面に積層され、前記空気極に酸化剤ガスを供給して発電後の酸化剤ガスを排出するカソードセパレータとからなることを特徴とする平板型固体酸化物形燃料電池のセパレータ。
【請求項２】
請求項１記載の平板型固体酸化物形燃料電池のセパレータにおいて、
前記スタックの積層時に互いに接する前記アノードセパレータと前記カソードセパレータとの間に、燃料電池の運転温度では焼結しない導電性の粉体を成分とするセパレータ接続層を有することを特徴とする平板型固体酸化物形燃料電池のセパレータ。
【請求項３】
請求項１または２記載の平板型固体酸化物形燃料電池のセパレータにおいて、
前記アノードセパレータと前記カソードセパレータの各々の外周部に突起を有することを特徴とする平板型固体酸化物形燃料電池のセパレータ。
【発明の詳細な説明】
【技術分野】
【０００１】
本発明は、平板型固体酸化物形燃料電池のスタック構造に係り、特に各セル間に積層されるセパレータに関するものである。
【背景技術】
【０００２】
燃料電極と酸化剤電極がセラミックスの電解質を介して配置され、燃料として最終的に水素を、酸化剤として酸素や空気を供給することで、水の電気分解の逆の反応を利用して発電する固体酸化物形燃料電池では、燃料電池の実用上十分な発電量を得るために、上述の固体酸化物形燃料電池の単位構成要素（セル）を複数個、直列および並列に電気的に接続すること（スタック化）が必要となる。
【０００３】
燃料電池動作の際には、電池の負極側（燃料電極側）を還元雰囲気に晒し、正極側（酸化剤電極側）を酸化雰囲気に晒し、かつ十分な発電効率を得るために、電解質のイオン伝導性を確保することができ容易に酸化還元が起こる６００℃以上の高温に燃料電池本体を保つ必要がある。したがって、固体酸化物形燃料電池では、互いに異なる雰囲気に晒される正極と負極間をガス不透過でかつ導電性のあるセラミックス材料もしくは金属材料からなる部品（セパレータ）で電気的に接続する必要がある。平板型の燃料電池セルに対してこのようなスタック化を行う方法には、さまざまな方法があり、実証されている（例えば、特許文献１、特許文献２参照）。
【０００４】
【特許文献１】特開２００５−１９２６８号公報
【特許文献２】特開２００５−１７４８８４号公報
【発明の開示】
【発明が解決しようとする課題】
【０００５】
このようなスタック化にあっては、数１０から１００枚程度のセルを接続して１つのスタックとするのであるが、この数１０から１００枚程度のセルのうち１つでも割れたり、出力の劣ったりするものがあると、スタック全体の特性に影響するので、スタックを組み立てる前に十分にセルの検査を行い、また組み立て工程にも細心の注意を払う必要があった。それでも、完全に良好なスタックを得ることは大変難しいという問題点があった。
【０００６】
また、固体酸化物形燃料電池は６００℃以上の高温で動作するため、一度発電状態にすると、スタックのなかのセルを取り替えることは、非常に困難であり、たとえ取り替えることができたとしても、従来のスタック化の方法では、スタックからセルを分離する際に、セルのカソードもしくはアノードの電極面とセパレータとの間を乖離させてセルを取り替える必要があり、取替えるセル以外のセルにも取替え作業の影響による劣化があり、初期と同等の特性を得ることはきわめて難しいという問題点があった。また、セパレータとセル間の積層による圧力でセルのシールを安定化している場合もあり、セルの取替えがスタックのシール特性を激しく損なう場合もしばしば見られた。
【０００７】
本発明は、上記スタック構成の問題を解決するためになされたものであって、スタックの組み立て時の歩留まりを向上させることができ、スタック内のセルの交換やメンテナンスを、他のセルの発電特性やシール性能に影響を及ぼすことなく容易に行うことができるセパレータを提供することを目的とする。
【課題を解決するための手段】
【０００８】
本発明は、固体酸化物からなる電解質を空気極と燃料極とで狭持してなる平板型のセルを複数枚積層した平板型固体酸化物形燃料電池スタックにおいて、各セル間に積層されるセパレータが、前記セルの燃料極側の面に積層され、前記燃料極に燃料ガスを供給して発電後の燃料ガスを排出するアノードセパレータと、前記セルの空気極側の面に積層され、前記空気極に酸化剤ガスを供給して発電後の酸化剤ガスを排出するカソードセパレータとからなることを特徴とするものである。
また、本発明の平板型固体酸化物形燃料電池のセパレータの１構成例は、前記スタックの積層時に互いに接する前記アノードセパレータと前記カソードセパレータとの間に、燃料電池の運転温度では焼結しない導電性の粉体を成分とするセパレータ接続層を有するものである。
また、本発明の平板型固体酸化物形燃料電池のセパレータの１構成例は、前記アノードセパレータと前記カソードセパレータの各々の外周部に突起を有するものである。
【発明の効果】
【０００９】
本発明によれば、セパレータをアノードセパレータとカソードセパレータに分離することが可能となり、セルを挟むカソードセパレータとアノードセパレータとの間を最小単位として、他のセルの発電特性やシール性能に大きな影響を及ぼすことなく、任意のセルを取り出して交換することができる。これにより、本発明では、たとえ一度スタックとして組まれた後でも、不具合のあるセルのみをスタックから取り除いたり、取り替えたりすることが可能となり、スタックの組み立て時の歩留まりを大きく向上させることができると共に、運転中に発生したセルの破損や劣化に対しても、必要最小限の取替えで対応できるようになるため、メンテナンス性も大きく向上させることができ、スタックの性能向上、ひいてはコストダウンにまで寄与することができる。また、本発明では、各セルを比較的丈夫なアノードセパレータとカソードセパレータで挟んでユニット化して、各ユニットを積層していけばよいので、スタックの組み立ての際の作業性を著しく向上させることができる。
【００１０】
また、本発明では、スタックの積層時に互いに接するアノードセパレータとカソードセパレータとの間に、燃料電池の運転温度では焼結しない導電性の粉体を成分とするセパレータ接続層を設けることにより、燃料電池の運転時の高温によるアノードセパレータとカソードセパレータの焼きつきを防ぐことができ、セルの交換を容易に行うことができる。
【００１１】
また、本発明では、アノードセパレータとカソードセパレータの各々の外周部に突起を設けることにより、セルを挟むカソードセパレータの突起とアノードセパレータの突起との間を動かないように固定することができ、その結果、スタックの良好なセルの部分を結束して保護した上で、不良なセルを含む最小単位のみを交換することができ、スタックの性能を損なうことなくスタックの補修、改良を行うことができる。
【発明を実施するための最良の形態】
【００１２】
［第１の実施の形態］
以下、本発明の実施の形態を図面に基づいて説明する。図１は本発明の第１の実施の形態に係る平板型固体酸化物形燃料電池スタックの構造を示す分解斜視図、図２（Ａ）は図１の平板型固体酸化物形燃料電池スタックで用いる燃料極支持型のセルの構造を示す断面図、図２（Ｂ）は電解質支持型のセルの構造を示す断面図である。
【００１３】
平板型固体酸化物形燃料電池スタック１は、平板型のセル２とセパレータ３とを交互に複数枚積層して機械的に一体に結合すると共に電気的に接続することにより形成されている。なお、図１は、各々１０枚のセル２とセパレータ３とを交互に積層した状態を示している。図１における１１は最端部（図１の下端）のアノードを終端する負極終端セパレータ、１２は最端部（図１の上端）のカソードを終端する正極終端セパレータである。
【００１４】
図１に示したセパレータ３には、セパレータ３に燃料を供給する燃料供給マニホールド４、燃料を排出する燃料排出マニホールド５および酸化剤ガスを供給する酸化剤ガス供給マニホールド６がそれぞれパイプ９ａ，９ｂ，９ｃを介して接続されている。図１に示したスタック１の構造例においては、酸化剤ガスはセパレータ間の隙間から排出される。セパレータ３の材質としては、フェライト系ステンレスなどの耐熱金属のほか、ランタンクロマイトなどのセラミックス材料を用いることができるが、コストや熱膨張係数、耐久性などからクロムを１８％以上含むようなフェライト系ステンレス鋼を用いることが好ましい。
【００１５】
図２（Ａ）において、燃料極を電極支持体とする燃料極支持型のセル２は、燃料極２２と、この燃料極２２の上に積層形成された電解質２１および空気極２３からなるものである。
一方、図２（Ｂ）において、電解質を電極支持体とする電解質支持型のセル２は、電解質２１の基板の一方の面に燃料極２２を形成し、反対側の面に空気極２３を形成したものである。
【００１６】
電解質２１の材質としては、電子を通さず、酸素イオンの導伝特性が高いセラミックス材料、例えば酸化スカンジウム（Ｓｃ2Ｏ3）、酸化アルミ（Ａｌ2Ｏ3）、アルミナ添加スカンジア安定化ジルコニア（ＳＡＳＺ）やイットリア（Ｙ2Ｏ3）安定化ジルコニア（ＹＳＺ）などのジルコニア材料が用いられる。
【００１７】
空気極２３の材質としては、高温酸化雰囲気下で安定で、触媒能が高く、かつ高い電子導電性を有する酸化物あるいは金属、例えば銀（Ａｇ）や白金（Ｐｔ）、導電性酸化物であるストロンチウム添加ランタンマンガナイト（（Ｌａ，Ｓｒ）ＭｎＯ3，ＬＳＭ）やランタンニッケル鉄酸化物（Ｌａ（Ｎｉ，Ｆｅ）Ｏ3，ＬＮＦ）などの材料が用いられる。
燃料極２２の材質としては、電子導電性を有する酸化物あるいは貴金属、例えばニッケル（Ｎｉ）−ＹＳＺサーメット、Ｐｔ等の材料が用いられる。
【００１８】
本実施の形態は、図１に例として示したようなスタック１の構造においてセパレータ３を、カソード（空気極２３）に接続するカソードセパレータとアノード（燃料極２２）に接続するアノードセパレータとに分離できるようにしたものである。
【００１９】
以下、図３、図４を用いてそのようなセパレータ３の機能を説明する。図３は燃料ガスＧ１の流れが分かるようにした、図１の平板型固体酸化物形燃料電池スタック１の断面図、図４は酸化剤ガスＧ２の流れが分かるようにした、図１の平板型固体酸化物形燃料電池スタック１の断面図である。言うまでもなく、図３、図４は同じ平板型固体酸化物形燃料電池スタック１の断面を切断面を変えて示すものである。
【００２０】
前述のとおり、セパレータ３は、アノードセパレータ３１とカソードセパレータ３２とからなっており、これらアノードセパレータ３１とカソードセパレータ３２は分離面３３で分離できるようになっている。
セル２は、アノードとアノードセパレータ３１とが接するようにアノードセパレータ３１の上に搭載され、セル２の上にカソードセパレータ３２が積層される。このとき、燃料ガスＧ１が漏れることを防止するために、セル２とアノードセパレータ３１との間にはセルセパレータシール部３４が設けられている。なお、図３、図４の例では、燃料極支持型のセル２を用いているが、電解質支持型のセル２を用いてもよいことは言うまでもない。
【００２１】
例えば金属からなる管状の燃料供給マニホールド４は、パイプ９ａを介してアノードセパレータ３１と接続される。燃料供給マニホールド４は、管状もしくは円環状の絶縁リング７と交互に積層され、アノードセパレータ３１と接するセル２の燃料極に燃料ガスＧ１を供給するパイプを構成している。また、燃料供給マニホールド４と絶縁リング７との接続部から燃料ガスＧ１が漏れることを防止するために、燃料供給マニホールド４と絶縁リング７との接続部はシールリング８によって覆われている。
アノードセパレータ３１には、パイプ９ａと連通する流路１０ａが形成されている。燃料ガスＧ１は、燃料供給マニホールド４からパイプ９ａを通って流路１０ａに流入し、セル２の燃料極に供給される。
【００２２】
同様に、例えば金属からなる管状の燃料排出マニホールド５は、パイプ９ｂを介してアノードセパレータ３１と接続される。燃料排出マニホールド５は、絶縁リング７と交互に積層され、発電後の燃料ガスＧ１を排出するパイプを構成している。燃料排出マニホールド５と絶縁リング７との接続部から燃料ガスＧ１が漏れることを防止するために、燃料排出マニホールド５と絶縁リング７との接続部はシールリング８によって覆われている。
アノードセパレータ３１には、パイプ９ｂと連通する流路１０ｂが形成されている。発電後の燃料ガスＧ１は、この流路１０ｂからパイプ９ｂを通って燃料排出マニホールド５に排出される。
【００２３】
例えば金属からなる管状の酸化剤ガス供給マニホールド６は、パイプ９ｃを介してカソードセパレータ３２と接続される。この酸化剤ガス供給マニホールド６は、絶縁リング７と交互に積層され、カソードセパレータ３２と接するセル２の空気極に酸化剤ガスＧ２を供給する。カソードセパレータ３２には、パイプ９ｃと連通する流路１０ｃが形成されている。酸化剤ガスＧ２は、酸化剤ガス供給マニホールド６からパイプ９ｃを通って流路１０ｃに流入し、セル２の空気極に供給される。
【００２４】
なお、絶縁リング７を使用する理由は、燃料供給マニホールド４、燃料排出マニホールド５及び酸化剤ガス供給マニホールド６が、セル同士を接続する電気的な経路とならないように、各マニホールドを絶縁するためである。
また、図４の例では、発電後の酸化剤ガスＧ２をカソードセパレータ３２の外周部から排出するため、酸化剤ガス排出マニホールドを使用していないが、酸化剤ガスＧ２もマニホールドを通じて排出する場合には、他のマニホールドと同様に酸化剤ガス排出マニホールドをカソードセパレータ３２に接続すればよい。        
【００２５】
以上のように、平板型固体酸化物形燃料電池セルを積層する際に用いるセパレータ３をアノードに接続するアノードセパレータ３１とカソードに接続するカソードセパレータ３２とに分離できるようにすると、例えば一度組み上げたスタック１を分解する際に、セル２のカソードとセパレータ３との間、あるいはセル２のアノードとセパレータ３との間を分離できるだけでなく、アノードセパレータ３１とカソードセパレータ３２との間でも分離が可能になる。
【００２６】
図５（Ａ）、図５（Ｂ）はスタック１からセル２を取り出す際の最小単位を示す断面図であり、図５（Ａ）は図３と同じ切断面で最小単位を切断した場合の断面図、図５（Ｂ）は図４と同じ切断面で最小単位を切断した場合の断面図である。図３、図４で説明したようなアノードセパレータ３１とカソードセパレータ３２を用いることで、セパレータ３の分離面３３によってセパレータ３を分離することが可能となり、図５（Ａ）、図５（Ｂ）に示すようにセル２を挟むカソードセパレータ３２とアノードセパレータ３１との間を最小単位として、スタック１から任意のセル２を取り出すことが可能になる。
【００２７】
このように、本実施の形態では、任意のセル２を交換したとしても、他の最小単位のセル２については、アノードとアノードセパレータ３１の間やカソードとカソードセパレータ３２の間に何らの影響も与えないので、これらのセル２の発電特性が損なわれることはない。さらに、セル２のシールも通常は最小単位の中で行われるため、シール性能に影響を与えることもない。したがって、交換の必要がない他のセル２の発電特性やシール性能に影響を及ぼすことなく、任意のセル２を交換することができる。
【００２８】
また、本実施の形態では、各セル２を比較的丈夫なアノードセパレータ３１とカソードセパレータ３２で挟んでユニット化して、各ユニットを積層していけばよいので、スタック１の組み立ての際の作業性を著しく向上させることができる。
【００２９】
［第２の実施の形態］
次に、本発明の第２の実施の形態について説明する。図６は本発明の第２の実施の形態に係る平板型固体酸化物形燃料電池スタックの構造を示す断面図である。本実施の形態においても、スタック全体の構成は第１の実施の形態と同様である。
本実施の形態は、第１の実施の形態のアノードセパレータ３１とカソードセパレータ３２との間に、導電性の粉体をセパレータ接続層４１として設けたものである。
【００３０】
セパレータ接続層４１の材質としては、導電性のセラミックス粉末、白金やルテニウム、あるいは白金やルテニウムとセラミックスとの混合物が用いられる。
セパレータ接続層４１の材質としてセラミックス粉末を用いる場合、このセラミックス粉末は電気伝導度が高く、かつ燃料電池の動作温度である、６００℃から１０００℃の温度では容易に焼結が進まないものが好ましい。
【００３１】
このような条件を満たす導電性酸化物としては、ストロンチウム添加ランタンマンガナイト（（Ｌａ，Ｓｒ）ＭｎＯ3，ＬＳＭ）やランタンニッケル鉄酸化物（Ｌａ（Ｎｉ，Ｆｅ）Ｏ3，ＬＮＦ）、ストロンチウム添加ランタンコバルタイト（（Ｌａ，Ｓｒ）ＣｏＯ3）、ストロンチウム添加ランタンコバルト鉄酸化物（（Ｌａ，Ｓｒ）（Ｃｏ，Ｆｅ）Ｏ3）などの材料を用いることができる。これらの材料はセル２の空気極２３としても用いられるが、セパレータ接続層４１に用いる場合には熱膨張係数に関する制約が緩いので、選択の範囲が広くなる。
【００３２】
セパレータ接続層４１を構成する粉体は、粒径が小さくなり過ぎると、燃料電池の運転温度で焼結が進み易くなり、また粒径が大きくなり過ぎると、アノードセパレータ３１とカソードセパレータ３２の接続抵抗が増すことになる。したがって、粉体の粒径は、セラミックスを用いる場合、平均粒径１μｍ程度が最も好ましく、最大で高々１０μｍ程度であることが好ましい。
【００３３】
アノードセパレータ３１とカソードセパレータ３２との間にセパレータ接続層４１を設ける方法としては、一般的なコーティングの手法を用いることができる。例えばセラミックス粉末を有機バインダーと混合してペースト化したものをセパレータの分離面３３に塗布する方法や、分離面３３にセラミックス粉末を溶射する方法、あらかじめセラミックス粉末を有機バインダーと共にシート化して挟み込む方法など様々な方法を用いることができる。
【００３４】
セパレータ接続層４１は、アノードセパレータ３１とカソードセパレータ３２の接続抵抗を考慮すると、薄い方が好ましい。セパレータ接続層４１の厚さの下限値は粉体の粒径で決まることは言うまでもない。一方、厚さの上限値は、アノードセパレータ３１とカソードセパレータ３２の接続抵抗を考慮して１０μｍ程度以下であることが好ましい。
【００３５】
前述のとおり、スタック１は６００℃以上の高温で運転されるが、セパレータ３の材質としてフェライト系ステンレス鋼などの耐熱金属を用いる場合、第１の実施の形態のようにセパレータ３を単にアノードセパレータ３１とカソードセパレータ３２に分離できるようにするだけでは、運転につれてアノードセパレータ３１とカソードセパレータ３２が焼きついて分離できなくなる可能性がある。
【００３６】
これに対して、本実施の形態では、アノードセパレータ３１とカソードセパレータ３２との間に、燃料電池の運転温度では焼結しない導電性の粉体をセパレータ接続層４１として設けることにより、高温での発電後であっても、アノードセパレータ３１とカソードセパレータ３２が焼きついて分離しなくなることを防ぐことができ、セル２の交換を容易に行えるようになる。さらに、セル２を交換した後の再組み立ての際にもセパレータ接続層４１を塗布することによって、アノードセパレータ３１とカソードセパレータ３２の接続の抵抗を低減することができ、簡便に高性能のスタックを得ることが可能となる。
【００３７】
［第３の実施の形態］
次に、本発明の第３の実施の形態について説明する。図７は本発明の第３の実施の形態に係る平板型固体酸化物形燃料電池スタックの構造を示す断面図であり、図７（Ａ）は図３と同じ切断面で最小単位を切断した場合の断面図、図７（Ｂ）は図４と同じ切断面で最小単位を切断した場合の断面図である。本実施の形態においても、スタック全体の構成は第１の実施の形態と同様である。
【００３８】
本実施の形態は、アノードセパレータ３１とカソードセパレータ３２の各々の外周部に結束用突起６１，６２を設けたものである。
この結束用突起６１，６２は、アノードセパレータ３１やカソードセパレータ３２と一体成形してもよいし、別の部品として用意して、アノードセパレータ３１やカソードセパレータ３２に取り付けるようにしてもよい。結束用突起６１，６２は、一様な太さではなく、後述のように針金やゴム紐などを結び付け易いように太さに変化がついていることが好ましい。図７（Ａ）、図７（Ｂ）の例では、結束用突起６１，６２の先端部を球状にすることにより、針金やゴム紐が外れることを防止できる。
【００３９】
図８に結束用突起６１，６２の配置例を示す。結束用突起６１，６２は、例えば１２０度の間隔で３箇所ずつ設けることが望ましい。
以上のように、本実施の形態では、アノードセパレータ３１とカソードセパレータ３２の各々の外周部に結束用突起６１，６２を設けることにより、スタック１の分解やセル２の交換の必要が生じた際に、交換の必要のない最小単位については、その最小単位のセル２を挟むカソードセパレータ３２の結束用突起６２とアノードセパレータ３１の結束用突起６１とを針金やゴムひもなどを用いて結び付けることができる。
【００４０】
これにより、セル２のカソードとカソードセパレータ３２との間や、セル２のアノードとアノードセパレータ３１との間、あるいはセルセパレータシール部３４などが動いたりずれたりすることを防ぐことができる。その結果、スタック１の良好なセルの部分を結束して保護した上で、不良なセル２を含む最小単位のみを交換することを可能とし、交換したい箇所以外のセルの破壊や劣化を防止して、スタック１の性能を損なうことなくスタック１の補修、改良を行うことができる。
【００４１】
なお、本実施の形態では、セルの結束方法として、カソードセパレータ３２の結束用突起６２とアノードセパレータ３１の結束用突起６１とを針金やゴムひもなどを用いて結び付ける方法を挙げたが、結束用突起６１，６２にそれぞれボルト締めのためのねじ孔を設け、結束用突起６１と６２との間をボルトで固定することにより、スタック１の良好なセルの部分を結束するようにしてもよい。
【００４２】
以上、図１〜図８に示した平板型固体酸化物形燃料電池のスタック構造に基づいて本発明を説明したが、本発明は図１〜図８に示した平板型固体酸化物形燃料電池のスタック構造に限定されるものではなく、あらゆる構造の平板型固体酸化物形燃料電池のスタックに対して適用できる。
【産業上の利用可能性】
【００４３】
本発明は、平板型固体酸化物形燃料電池に適用することができる。
【図面の簡単な説明】
【００４４】
【図１】本発明の第１の実施の形態に係る平板型固体酸化物形燃料電池スタックの構造を示す分解斜視図である。
【図２】図１の平板型固体酸化物形燃料電池スタックで用いる燃料極支持型および電解質支持型のセルの構造を示す断面図である。
【図３】図１の平板型固体酸化物形燃料電池スタックの構造を示す断面図である。
【図４】図１の平板型固体酸化物形燃料電池スタックの構造を示す別の断面図である。
【図５】本発明の第１の実施の形態においてスタックからセルを取り出す際の最小単位を示す断面図である。
【図６】本発明の第２の実施の形態に係る平板型固体酸化物形燃料電池スタックの構造を示す断面図である。
【図７】本発明の第３の実施の形態に係る平板型固体酸化物形燃料電池スタックの構造を示す断面図である。
【図８】本発明の第３の実施の形態における結束用突起の配置例を示す斜視図である。
【符号の説明】
【００４５】
１…平板型固体酸化物形燃料電池スタック、２…セル、３…セパレータ、４…燃料供給マニホールド、５…燃料排出マニホールド、６…酸化剤ガス供給マニホールド、７…絶縁リング、８…シールリング、９ａ，９ｂ，９ｃ…パイプ、１０ａ，１０ｂ，１０ｃ…流路、１１…負極終端セパレータ、１２…正極終端セパレータ、２１…電解質、２２…燃料極、２３…空気極、３１…アノードセパレータ、３２…カソードセパレータ、３３…分割面、３４…セルセパレータシール部、４１…セパレータ接続層、６１，６２…結束用突起。
【図１】
2008041303.tif 000003
【図２】
2008041303.tif 000004
【図３】
2008041303.tif 000005
【図４】
2008041303.tif 000006
【図５】
2008041303.tif 000007
【図６】
2008041303.tif 000008
【図７】
2008041303.tif 000009
【図８】
2008041303.tif 000010